(57)【要約】      （修正有）【課題】大型化・階層化する住宅においても、高齢者等の非常事態を在宅中の他の家族に迅速かつ確実に知らせることができる無線連絡システムを提供する。【解決手段】非常時において高齢者等により無線発信器９０ａ等が操作されると、無線発信器９０ａ等は第１無線信号を発信する。この第１無線信号を受信した屋内モニタ装置４は、照明装置２５等を制御するための第２無線信号を送信する。この第２無線信号を受信した負荷制御装置３４等は、第２無線信号に含まれる制御信号に基づいて照明装置２５等を制御する。これにより、照明装置２５の動作が変わり、無線連絡システムは、非常事態が発生したことを他の家族に通知する。【選択図】図１
2010176160.tif 000002
【特許請求の範囲】
【請求項１】
家屋内の特定の場所に設置、又は家族内の特定人物に携帯され、前記特定人物を含むユーザに操作されて第１無線信号を発信する無線発信器と、前記無線発信器から発信された前記第１無線信号を受信すると、前記家屋内に設けられた特定の負荷を制御するための制御信号を含む第２無線信号を送信する無線通信親機と、前記無線通信親機から送信された前記第２無線信号を受信すると、該第２無線信号に含まれる制御信号に応じて前記負荷を制御する負荷制御装置とを備え、前記負荷制御装置によって制御される負荷の動作によって前記ユーザの異常を前記家屋内に居る家族に連絡可能としたことを特徴とする無線連絡システム。
【請求項２】
前記負荷は、照明装置であることを特徴とする請求項１に記載の無線連絡システム。
【請求項３】
前記照明装置は、前記負荷制御装置の制御によって点滅することを特徴とする請求項２に記載の無線連絡システム。
【請求項４】
前記無線発信器は複数個備えられ、各無線発信器からは固有の前記第１無線信号が発信され、前記無線通信親機は、受信した前記第１無線信号に応じて異なる第２無線信号を送信することを特徴とする請求項１乃至請求項３のいずれか一項に記載の無線連絡システム。
【請求項５】
所定領域内に存在する人体を感知し、固有の第３無線信号を発信する人体感知センサをさらに備え、前記無線通信親機は、受信した前記第１無線信号及び前記第３無線信号に応じて異なる第２無線信号を送信することを特徴とする請求項４に記載の無線連絡システム。
【請求項６】
前記無線通信親機は、前記第１無線信号を受信すると報知音を出力する報知音出力部を有することを特徴とする請求項１乃至請求項５のいずれか一項に記載の無線連絡システム。
【請求項７】
前記報知音出力部は、前記無線通信親機が受信した前記第１無線信号に応じて異なる報知音を出力することを特徴とする請求項４に記載の無線連絡システム。
【請求項８】
前記無線通信親機は、前記第１無線信号を発信した前記無線発信器が設置されている場所、又は前記第３無線信号を発信した前記人体感知センサが設置されている場所を特定する画像を表示する画像表示部を有することを特徴とする請求項１乃至請求項７のいずれか一項に記載の無線連絡システム。
【発明の詳細な説明】
【技術分野】
【０００１】
本発明は、例えば高齢者や幼児が非常時等において、個人住宅等の家屋内に居る家族と迅速かつ確実に連絡をとるための無線連絡システムに関する。
【背景技術】
【０００２】
従来から、家屋内に組み込まれ、高齢者や幼児の安全を見守るシステムが提案されている。例えば、特許文献１には、在宅中の高齢者の健康状態及び危険を監視し、異常発生時に速やかに医療機関、主治医等に自動的に連絡するヘルパーシステムが開示されている。このようなヘルパーシステムは、高齢者が独居している場合や、家族が留守である場合に、主治医が駆けつけることができるため有効であるが、在宅中の家族である場合、住宅内の家族にいち早く異常を知らせることができないため、迅速に家族を呼び出したい場合に問題となる。このような問題は、特に、家屋が大きくかつ複数階に建設されている場合に顕著となる。
【先行技術文献】
【特許文献】
【０００３】
【特許文献１】特開平９−２２４９５号公報
【発明の概要】
【発明が解決しようとする課題】
【０００４】
本発明は、上記従来例の問題を解決するためになされたものであり、大型化・階層化する住宅においても、高齢者等の非常事態を在宅中の他の家族に迅速かつ確実に知らせることができる無線連絡システムを提供することを目的とする。
【課題を解決するための手段】
【０００５】
上記目的を達成するために請求項１の発明は、家屋内の特定の場所に設置、又は家族内の特定人物に携帯され、前記特定人物を含むユーザに操作されて第１無線信号を発信する無線発信器と、前記無線発信器から発信された前記第１無線信号を受信すると、前記家屋内に設けられた特定の負荷を制御するための制御信号を含む第２無線信号を送信する無線通信親機と、前記無線通信親機から送信された前記第２無線信号を受信すると、該第２無線信号に含まれる制御信号に応じて前記負荷を制御する負荷制御装置とを備え、前記負荷制御装置によって制御される負荷の動作によって前記ユーザの異常を前記家屋内に居る家族に連絡可能としたことを特徴とする無線連絡システムである。
【０００６】
請求項２の発明は、請求項１に記載の無線連絡システムにおいて、前記負荷は、照明装置であることを特徴とする。
【０００７】
請求項３の発明は、請求項２に記載の無線連絡システムにおいて、前記照明装置は、前記負荷制御装置の制御によって点滅することを特徴とする。
【０００８】
請求項４の発明は、請求項１乃至請求項３のいずれか一項に記載の無線連絡システムにおいて、前記無線発信器は複数個備えられ、各無線発信器からは固有の前記第１無線信号が発信され、前記無線通信親機は、受信した前記第１無線信号に応じて異なる第２無線信号を送信することを特徴とする。
【０００９】
請求項５の発明は、請求項４に記載の無線連絡システムにおいて、所定領域内に存在する人体を感知し、固有の第３無線信号を発信する人体感知センサをさらに備え、前記無線通信親機は、受信した前記第１無線信号及び前記第３無線信号に応じて異なる第２無線信号を送信することを特徴とする。
【００１０】
請求項６の発明は、請求項１乃至請求項５のいずれか一項に記載の無線連絡システムにおいて、前記無線通信親機は、前記第１無線信号を受信すると報知音を出力する報知音出力部を有することを特徴とする。
【００１１】
請求項７の発明は、請求項４に記載の無線連絡システムにおいて、前記報知音出力部は、前記無線通信親機が受信した前記第１無線信号に応じて異なる報知音を出力することを特徴とする。
【００１２】
請求項８の発明は、請求項１乃至請求項７のいずれか一項に記載の無線連絡システムにおいて、前記無線通信親機は、前記第１無線信号を発信した前記無線発信器が設置されている場所、又は前記第３無線信号を発信した前記人体感知センサが設置されている場所を特定する画像を表示する画像表示部を有することを特徴とする。
【発明の効果】
【００１３】
請求項１の発明によれば、負荷の動作状態が変化することにより、大型化・階層化する住宅においても、ユーザに非常事態が発生したことを住宅内に居る他の家族に連絡できる。
【００１４】
請求項２の発明によれば、照明装置の点灯状態が変化することにより、ユーザに非常事態が発生したことを他の家族に迅速に連絡できる。
【００１５】
請求項３の発明によれば、照明装置の点滅によって、ユーザに非常事態が発生したことを他の家族により強く連絡できる。
【００１６】
請求項４の発明によれば、負荷制御装置が第２無線信号に応じて負荷の動作を変更することにより、信号発信器を操作したユーザの居所をより正確に認定することができる。
【００１７】
請求項５の発明によれば、特定人物に携帯される無線発信器から第１無線信号が出力された場合であっても、他の家族は第３無線信号から上記特定人物の居場所を推定することができる。これにより、第１無線信号のみから認定できない特定人物の居場所に迅速に駆けつけることが可能となる。
【００１８】
請求項６の発明によれば、報知音を聞くことにより、いずれかのユーザに非常事態が発生したことを、いち早く知得できるようになる。特に、他の家族が就寝等している際に非常事態が発生しても、他の家族をいち早く呼び起すことが可能となる。
【００１９】
請求項７の発明によれば、報知音出力部から出力される報知音を聞くことにより、無線発信器を操作したユーザの居場所をより確実に確認することができる。例えば、報知音の一例として、予め録音しておいた家屋内の場所を示す肉声等を適用することにより、ユーザの居所を確実かつ容易に確認することができるようになる。
【００２０】
請求項８の発明によれば、画像表示部の表示を参照することにより、無線発信器を操作したユーザの居場所をより確実に確認することができる。
【図面の簡単な説明】
【００２１】
【図１】本発明の一実施形態に係る無線連絡システムを備えた戸建て住宅の概略構成を示す図。
【図２】上記無線連絡システムにおける屋内モニタ装置の構成を示すブロック図。
【図３】上記無線連絡システムの動作例を示すフローチャート。
【発明を実施するための形態】
【００２２】
本発明の一実施形態に係る無線連絡システムについて説明する。図１は、本実施形態に係る無線連絡システムを備えた戸建て住宅の概略構成を示す。一般的に、戸建て住宅などの建築物の門扉や玄関などの付近には、テレビカメラ２を備えたテレビドアホン装置の屋外器（子機）３が設けられている。また、リビングルームにはテレビドアホン装置の屋内モニタ装置（無線通信親機）４が設けられている。
【００２３】
本実施形態に係る戸建て住宅にあっては、高齢者や幼児（以下高齢者等とする）のサポートを円滑に行えるよう種々の工夫が施されている。例えば、バス１５ａ、トイレ１５ｂ及び高齢者の寝室１６には、非常ボタンを有する無線発信器９０ａ、９０ｂ及び９１が設けられている。また、高齢者等は、非常ボタンを有する携帯用の無線発信器９２を所持する。無線発信器９２は、例えば、高齢者等の首にストラップ等を用いてぶら下げられることにより携帯される。無線発信器９０ａ、９０ｂ、９１又は９２の非常ボタンが操作されると、無線発信器９０ａ、９０ｂ、９１又は９２から所定の信号（第１無線信号）が送信される。この第１無線信号は、屋内モニタ装置４によって受信され、屋内モニタ装置４は、住宅内に何らかの非常事態が発生していることを検知し、照明装置２１・・・２６ｂ等の負荷を制御するための所定の信号（第２無線信号）を送信する。この第２無線信号は、負荷制御装置３１・・・３７等によって受信され、これに基づいて照明装置２１・・・２８が制御される。これにより、照明装置２１・・・２８の動作が変化し、住宅内に居る他の家族は、非常事態の発生を知ることになる。なお、バス１５ａ、トイレ１５ｂに設けられている無線発信器９０ａ、９０ｂは、高齢者等以外のユーザ（来客を含む）にも操作可能である。
【００２４】
一方、家屋１の玄関１１、廊下１２、階段１３、リビング１４、バス１５ａ、トイレ１５ｂ、寝室１６、１７・・・などの壁面には、照明装置（負荷）２１・・・２６ｂのオン及びオフなどを制御するための壁面スイッチを兼ねた負荷制御装置３１・・・３５ｂが設けられており、これら負荷制御装置３１・・・３７と照明装置２１・・・２８とは、それぞれ壁や天井の裏側に設置された配線を介して接続されている。これらの負荷制御装置３１・・・３７の一部又は全部は、テレビドアホン装置の屋内モニタ装置４から有線を介して又は電波を媒体として無線送信される所定の信号（第２無線信号）を受信する受信機能を有している。
【００２５】
家屋１の屋外の側壁や軒下などには、屋側センサ４１及び上記テレビカメラ２が設けられており、また、各窓５又はその付近には窓開閉センサ５１、５２及び窓ガラス破壊センサ６１、６２が設けられている。なお、これらの各センサは、全ての窓に設ける必要はなく、外部から不審者が侵入しやすい箇所などの特定の場所にのみ設けられていてもよい。さらに、玄関１１、寝室１６や階段１３には、人体感知センサ７１、７２、７３が設けられている。これらの各センサは、それぞれ検出対象を検出する機能の他に、電波を媒体として所定の信号（第３無線信号）を送信する無線送信機能を有している。
【００２６】
本実施形態では、全ての負荷制御装置３１・・・３７は上記第２無線信号を受信する機能を有するものとし、さらに１又は複数の負荷のオン及びオフ及びオン状態における負荷の段階を制御する負荷制御機能を有する。負荷としては、上記照明装置２１・・・２８の他に、警報装置、警備会社への通報装置あるいは電気錠（オートドアロック）などを制御することができる。また、負荷制御装置３１・・・３７は、ユーザによって操作され、電波を媒体として、操作された内容に応じた所定の信号を無線送信する操作スイッチ（例えばリモコン装置）８０などからの所定の信号も受信可能である。なお、操作スイッチ８０は、必ずしもリモコン装置である必要はなく、壁面に設置又は固定された他のスイッチであってもよい。
【００２７】
例えば玄関１１の軒下に設けられた屋側センサ４１は、照度センサ及び人体感知センサの機能を有しており、屋外の照度が一定照度以下になったときに所定の照度以下になったことを知らせる所定の第１点灯信号を出力すると共に、所定の検知領域６内に人などの検知対象が立ち入った場合に、検知対象の存在を検知して、又は検知対象を検知したことを知らせる第１検知信号を屋内モニタ装置４に出力する。
【００２８】
屋内モニタ装置４に設けられている制御部（詳細は後述する）は、設定モードに応じて、屋側センサ４１からの第１点灯信号又は第１検知信号を受信すると、最寄りの負荷制御装置３１に対して点灯のための制御信号を無線送信し、照明装置２１をオン（点灯）させる。なお、屋側センサ４１は、屋外の照度が一定照度を超えたとき又は第１検知信号を送信した後、所定の検知領域６内に一定時間検出対象の存在を検知しなくなった場合に、所定の第１消灯信号を屋内モニタ装置４に対して出力し、屋内モニタ装置４は屋側センサ４１からの第１消灯信号を受信すると、負荷制御装置３１に対して消灯のために制御信号を無線送信し、照明装置２１をオフ（消灯）させる。
【００２９】
玄関１１、廊下１２及び階段１３に設けられた人体感知センサ７１、７２及び７３は、所定の検知領域内に人が立ち入った場合に、人の存在を検知して、例えば電波を媒体として、人を検知したことを知らせる第３無線信号を屋内モニタ装置４又は最寄りの負荷制御装置３１、３２又は３３に対して無線送信すると共に、第３無線信号を送信した後、所定の検知領域内に一定時間人の存在を検知しなくなった場合に、人が立ち去ったことを知らせる無線信号を屋内モニタ装置４及び負荷制御装置３１、３２又は３３等に対して無線送信する。負荷制御装置３１、３２及び３３は、人体感知センサ７１、７２及び７３からの第３無線信号又は第２消灯信号に応じて照明装置２１、２２、２３及び２４をそれぞれ点灯又は消灯させる機能を有すると共に、ユーザの操作により照明装置２１、２２、２３及び２４をそれぞれ点灯又は消灯させる通常のスイッチ機能を有している。
【００３０】
リビング１４、寝室１６又は１７などに設けられた負荷制御装置３４〜３７などは、操作スイッチ（リモコン装置）８０などから送信される所定の制御信号に応じて、照明装置２５〜２８などのオン又はオフ及びオンのときの照度などを制御する機能を有する。
【００３１】
窓開閉センサ５１及び５２は、窓５の開状態又は閉状態を検知し、電波を媒体として、窓の開動作に応じた第３検知信号を屋内モニタ装置４又は最寄りの負荷制御装置３６及び３７に対して無線送信する。同様に、窓ガラス破壊センサ６１及び６２は、窓ガラスが破壊されたことを検知し、電波を媒体として、窓ガラスが破壊されたことを知らせる第４検知信号を屋内モニタ装置４に対して無線送信する。
【００３２】
各負荷制御装置３１〜３７は、有線又は無線通信を介して、屋内モニタ装置４と通信を行う。また、１つの負荷制御装置（例えばリビング１４に設けられている負荷制御装置３４）をマスターとし、他の負荷制御装置をスレーブとするマスター・スレーブ通信を行うように構成されていてもよい。さらに、個々の負荷制御装置３１〜３７は、時分割多重方式又は周波数多重方式により、操作スイッチ８０からの信号の受信を行う。
【００３３】
なお、負荷制御装置（壁面スイッチ）、屋側センサ、人体感知センサ、窓開閉センサ、窓ガラス破壊センサなどに関しては、本出願人が別途特許出願を行っているので、これらの具体的な構成については説明を省略する。
【００３４】
次に、上記負荷制御システムにおける機能について説明する。前述のように、人体感知センサは、一般的に焦電素子を利用して検知対象から発せられる熱線を感知するので、人だけでなく犬や猫などの小動物に対しても反応し、屋側センサ４１から第１検知信号が出力されたからと言って、必ずしも人が所定の検知領域６に存在するとは限らない。そこで、本実施形態では、テレビドアホン装置のテレビカメラ２により撮像された画像を利用し、テレビカメラ２から出力される画像データにシルエットマッチングや顔認識などのデジタル画像処理を施し、撮像された画像中に人が存在するか否かを判断する。それによって、人体感知センサのみを用いた場合に比べて、誤報発生の可能性をほぼ零にさせることができる。
【００３５】
図２に示すように、屋内モニタ装置４は、液晶素子などの画像表示部４２、スピーカ（報知音出力部）４３及びマイクロホン４４、テレビドアホン機能の他に防犯機能などを制御する制御部４５、テレビカメラ（撮像装置）２により撮像された画像中に人が存在するか否かを判断する人検出部４６、人が存在すると人検出部４６が判断したときに、予め設定されている１つ又は２以上の所定の照明装置を点灯させる照明制御部４７、無線通信を行うための通信部４８、テレビカメラに２により撮像された画像などを記憶するためのフラッシュメモリなどの記憶部４９、タイマ５０などを備えている。
【００３６】
次に、本実施形態に係る無線連絡システムの基本的な動作について、図３に示すフローチャートを参照して説明する。非常時において高齢者等により無線発信器９０ａ等が操作されると（＃１においてＹＥＳ）、無線発信器９０ａ等は第１無線信号を発信する（＃２）。この第１無線信号には、例えば各無線発信器に割当てられた固有のＩＤ信号が付与されている。この第１無線信号を受信（＃３）した屋内モニタ装置４は、ＩＤ信号から第１無線信号を発信した無線発信器を特定する。そして、屋内モニタ装置４は、照明装置２５等を制御するための第２無線信号を送信する（＃４）。この第２無線信号は、屋内モニタ装置４が受信した第１無線信号に応じて異なるものとする。これにより、受信した第１無線信号に応じて、各照明装置の動作を変えることができる。第２無線信号には、例えば負荷制御装置３４等を特定するための固有のＩＤ信号が付与されている。自己に割当てられた固有のＩＤ信号が付与された第２無線信号を受信した負荷制御装置３４等は（＃５）、第２無線信号に含まれる制御信号に基づいて照明装置２５等を制御する（＃６）。これにより、照明装置２５の動作が変わり、無線連絡システムは、非常事態が発生したことを他の家族に通知する。＃４においては、すべての負荷制御装置に第２無線信号を送信してもよいし、予め定められた一部の負荷制御装置に第２無線信号を送信してもよい。第２無線信号を送信する負荷制御装置を限定することにより、非常時に制御される照明装置が限定される。
【００３７】
第２無線信号に含まれる制御信号の例としては、消灯している照明装置を点灯又は点滅させる旨の信号の他、点灯している照明装置を一時的に消灯又は点滅させる旨の信号、照明装置の照度を変更する旨の信号等が挙げられる。これらのうち照明装置の点滅は、通常時に起こり得ない現象であるから、非常事態の発生を強く連絡することができる。
【００３８】
高齢者等が携帯している無線発信器９２を操作した場合、その高齢者等の居場所を特定することができない場合がある。そこで、本実施形態においては、人体感知センサ７１、７２、７３等から送信される第３無線信号に基づいて高齢者等の居場所を推定する。この第３無線信号には、例えば各人体感知センサを特定するための固有のＩＤ信号が付与されているので、屋内モニタ装置４は、この第３無線信号から携帯型の無線発信器９２すなわち高齢者等の場所を推定し、それに応じて照明装置を制御する第２無線信号を出力する。例えば、家族を高齢者等の居場所に誘導するように制御することができる。各部屋に固定されている無線発信器９０ａ、９０ｂ、９１が操作された場合も同様である。
【００３９】
また、屋内モニタ装置４は、第１無線信号を受信したとき、必要に応じて、画像表示部４２によって非常事態が発生した旨の画像を表示し、スピーカ（音声出力部）４３によって非常事態が発生した旨の報知音を出力する。このとき、屋内モニタ装置４は、無線発信器９０ａ、９０ｂ、９１又は９２から発信される第１無線信号及び人体感知センサ７１、７２、７３等から送信される第３無線信号を総合的に判断して高齢者等の居場所を推定し、その居場所に関する情報を画像と報知音を出力する。
【００４０】
なお、本発明は上記実施形態の構成に限られることなく、種々の変形が可能である。例えば、負荷制御装置に制御される負荷は、照明装置に限られることなく、他の電化製品であってもよい。また、無線発信器９０ａ、９０ｂ、９２から送信される第１無線信号は、各無線発信器毎に周波数を変えて送信するように構成してもよい。同様に、屋内モニタ装置４から送信される第２無線信号は、各負荷制御装置毎に周波数を変えて送信するように構成してもよい。さらにまた、人体感知センサ７１、７２、７３から送信される第３無線信号各人体感知センサ毎に周波数を変えて送信するように構成してもよい。これらの場合、上記ＩＤ信号は、不要となる。
【符号の説明】
【００４１】
１  家屋
２  テレビカメラ（撮像装置）
３  テレビドアホン装置の屋外器（子機）
４  テレビドアホン装置の屋内モニタ装置（無線通信親機）
５  窓
６  検知領域
２１〜２８  照明装置
３１〜３７  負荷制御装置（壁面スイッチ）
４２  画像表示部
４３  スピーカ（報知音出力部）
７１〜７３  人体感知センサ
９０ａ、９０ｂ、９１  無線発信器（固定用）
９２  無線発信器（携帯用）
【図１】
2010176160.tif 000003
【図２】
2010176160.tif 000004
【図３】
2010176160.tif 000005